(57)【要約】【課題】大当たり状態において一つのラウンドが終了してから次のラウンドを開始するまでの時間を短くできるアタッカー装置を提供する。【解決手段】本体ハウジング４１と、入賞口（大入賞口４５）を開放及び閉口する開閉扉５０と、遊技球Bの通過を検知する入賞球検知手段（磁気センサ５７A，５７B）と、本体ハウジング内へ進入した遊技球が入賞球検知手段へと移動する入賞空間領域６６とを備えるアタッカー装置４０において、本体ハウジング内に、閉状態の開閉扉と対向する対向壁６０が配設され、開閉扉が閉状態の時、開閉扉の裏面５０aと対向壁の前面６０aとによって、遊技球の直径D1よりも小さな離隔距離Lを有する幅狭部６４が、入賞空間領域に形成され、開閉扉が閉じるとき、開閉扉は、幅狭部を構成する開閉扉の裏面と対向壁の前面との間に位置する遊技球に対して、入賞球検知手段に向かう方向の押出力を加える。【選択図】図３
2009226073.tif 000002
【特許請求の範囲】
【請求項１】
遊技盤面と略面一に配置される前面を有し、該前面に左右方向に長くかつ上下方向に短い入賞口が形成された本体ハウジングと、
前記本体ハウジングに配設され、前記入賞口を開放及び閉口する開閉扉と、
前記本体ハウジングの床面上に配置され、遊技球の通過を検知する入賞球検知手段であって、前記入賞口の開放時、開状態の前記開閉扉の裏面上に受止められ前記本体ハウジングの床面上に進入してきた遊技球の通過を検知する入賞球検知手段と、
前記入賞口から前記本体ハウジング内へ進入した遊技球が前記入賞球検知手段へと移動する入賞空間領域と
を備えるアタッカー装置において、
前記本体ハウジング内に、閉状態の前記開閉扉と対向する対向壁が配設され、
前記開閉扉が閉状態の時、前記開閉扉の裏面と前記対向壁の前面とによって、遊技球の直径よりも小さな離隔距離を有する幅狭部が、前記入賞空間領域に形成され、
前記開閉扉が閉じるとき、該開閉扉は、前記幅狭部を構成する該開閉扉の裏面と前記対向壁の前面との間に位置する遊技球に対して、前記入賞球検知手段に向かう方向の押出力を加える構成とされていることを特徴とするアタッカー装置。
【請求項２】
前記幅狭部は、前記入賞球検知手段側に向かうにつれて漸次拡開して形成されていることを特徴とする請求項１に記載のアタッカー装置。
【請求項３】
前記幅狭部は、前記開閉扉の裏面において左右両端を除いた部分と前記対向壁の前面との間の全域にわたって形成されていることを特徴とする請求項２に記載のアタッカー装置。
【請求項４】
前記開閉扉の裏面は、閉状態のとき前記対向壁側へ突出する突出部を備え、
該突出部と前記対向壁の前面とによって、前記幅狭部が形成されることを特徴とする請求項１乃至請求項３に記載のアタッカー装置。
【発明の詳細な説明】
【技術分野】
【０００１】
本発明は、パチンコ遊技機のアタッカー装置に関する。
【背景技術】
【０００２】
周知のように、パチンコ遊技機は、遊技盤面上の遊技領域に打ち込まれた遊技球が始動入賞口に入賞することを条件として、液晶式やドラム式等の図柄表示装置が複数種類の図柄を変動表示し、その結果、図柄表示装置に大当たりの図柄が確定停止すると、遊技領域に配設されたアタッカー装置の開閉扉を開状態にして、遊技者に多数の賞球を払い出す好機を与える所謂大当たり状態を発生させる。この大当たり状態では、開閉扉が開状態にされると、遊技球がアタッカー装置の本体ハウジングの入賞口から本体ハウジング内に進入可能となり、本体ハウジング内に配設された入賞球検知手段が進入した遊技球を検知すると、所定個数の賞球が払い出される。ここで、大当たり状態における開閉扉の開状態の時間は予め設定されており、この設定時間が経過するか、この設定時間内に規定数の遊技球が入賞球検知手段に検知されると、開閉扉は閉状態に変移する。そして、開閉扉が開状態となってから閉状態となるまでを１ラウンドとして所定のラウンド数(通常１５ラウンド)繰り返される。
【０００３】
従来より、このようなパチンコ遊技機に使用されるアタッカー装置としては、遊技盤面と略面一に配置される前面を有し、この前面に左右方向に長くかつ上下方向に短い入賞口が形成された本体ハウジングと、本体ハウジングに配設され、入賞口を開放及び閉口する開閉扉と、本体ハウジングの床面上に配置され、遊技球の通過を検知する入賞球検知手段であって、入賞口の開放時、開状態の開閉扉の裏面上に受止められ本体ハウジングの床面上に進入してきた遊技球の通過を検知する入賞球検知手段と、入賞口から本体ハウジング内へ進入した遊技球が入賞球検知手段へと移動する入賞空間領域とを備えて構成されているものが一般的に知られている。
【０００４】
なお、本願に先立ち、先行技術を調査したところ下記特許文献１を見出した。
【特許文献１】特開２００６−２８０６１０号公報
【発明の開示】
【発明が解決しようとする課題】
【０００５】
しかしながら、このような周知のアタッカー装置を使用したパチンコ遊技機では、本体ハウジング内の入賞空間領域が広いため、大当たり状態時に本体ハウジング内に進入した遊技球のなかには、一つのラウンドが終了して開閉扉が閉状態となった後も、まだ入賞球検知手段に検知されずに入賞空間領域を入賞球検知手段へと移動している状態の遊技球が存在していた。この点、前記特許文献１に記載のアタッカー装置においても、開閉扉が閉状態のときに入賞空間領域に遊技球が存在する状態が発生する構成である(特許文献１図９参照)。
【０００６】
ここで、パチンコ遊技の大当たり状態においては、一つのラウンド中に本体ハウジング内に進入した遊技球を次のラウンドにおいて検知し、これに基づいて賞球を払い出すことができないとされている。
【０００７】
そのため、一つのラウンドが終了してから次のラウンドが開始されるまでの間には、本体ハウジング内の入賞空間領域に存在する遊技球を入賞球検知手段に検知させてアタッカー装置の外部へ排出させるために、ある程度の長さ(例えば２秒程度)のインターバル時間が設けられていた(図１４参照)。
【０００８】
このインターバル時間は、短時間で大当たり状態を終了させることの弊害となっており、パチンコ遊技機の実質的な遊技時間及び稼動時間を少なくする要因となっていた。そして、大当たり遊技時間を短縮して実質的な遊技時間及び稼働時間を長くしたい遊技者や遊技店にとっては、インターバル時間は短いことが好ましく、一つのラウンドが終了して開閉扉が閉状態になったときには、入賞空間領域に遊技球が存在せず、すぐに次のラウンドを開始できるアタッカー装置が望まれていた。
【０００９】
そこで、本発明は、上述の課題を解決し、パチンコ遊技の大当たり状態において一つのラウンドが終了してから次のラウンドを開始するまでの時間を短くすることができるアタッカー装置を提供することを目的とする。
【課題を解決するための手段】
【００１０】
本発明に係るアタッカー装置は、遊技盤面と略面一に配置される前面を有し、該前面に左右方向に長くかつ上下方向に短い入賞口が形成された本体ハウジングと、前記本体ハウジングに配設され、前記入賞口を開放及び閉口する開閉扉と、前記本体ハウジングの床面上に配置され、遊技球の通過を検知する入賞球検知手段であって、前記入賞口の開放時、開状態の前記開閉扉の裏面上に受止められ前記本体ハウジングの床面上に進入してきた遊技球の通過を検知する入賞球検知手段と、前記入賞口から前記本体ハウジング内へ進入した遊技球が前記入賞球検知手段へと移動する入賞空間領域とを備えるアタッカー装置において、前記本体ハウジング内に、閉状態の前記開閉扉と対向する対向壁が配設され、前記開閉扉が閉状態の時、前記開閉扉の裏面と前記対向壁の前面とによって、遊技球の直径よりも小さな離隔距離を有する幅狭部が、前記入賞空間領域に形成され、前記開閉扉が閉じるとき、該開閉扉は、前記幅狭部を構成する該開閉扉の裏面と前記対向壁の前面との間に位置する遊技球に対して、前記入賞球検知手段に向かう方向の押出力を加える構成とされていることを特徴とする。
【００１１】
本発明に係るアタッカー装置では、本体ハウジング内に、開閉扉が閉状態のとき開閉扉の裏面から遊技球の直径よりも小さい離隔距離となる領域（幅狭部）を形成するように、対向壁が配設されている。よって、開閉扉が開状態から閉状態に変移するときには、幅狭部を構成する開閉扉と対向壁との間に位置する遊技球を、開閉扉の裏面と対向壁の前面とで挟むことになる。このとき、遊技球は開閉扉から受ける力によって入賞球検知手段へと向かう方向に移動する。すなわち、開閉扉が遊技球に加える押出力は、遊技球を入賞球検知手段へと向かわせる方向に作用し、遊技球は入賞球検知手段に向かって素早く移動する。
【００１２】
したがって、開閉扉が閉状態になったときに本体ハウジング内の入賞空間領域に存在している遊技球が、入賞球検知手段に検知されてアタッカー装置の外部へと排出されるまでの時間を短くすることができる。
【００１３】
したがって、本発明に係るアタッカー装置は、大当たり状態において一つのラウンドが終了してから次のラウンドを開始するまでの時間を短くすることができる。その結果、一回の大当たり状態に要する遊技時間を短縮でき、パチンコ遊技機の実質的な遊技時間や稼働時間を増加させることができる。
【００１４】
ここで、本発明に係るアタッカー装置において、前記幅狭部を、前記入賞球検知手段側に向かうにつれて漸次拡開させて形成することによって、開閉扉が閉じるときに開閉扉が遊技球に対して入賞球検知手段に向かう方向の押出力を加えることができる。
【００１５】
さらに、本発明に係るアタッカー装置においては、前記幅狭部を、前記開閉扉の裏面において左右両端を除いた部分と前記対向壁の前面との間の全域にわたって形成することが望ましい。
【００１６】
このような構成とすれば、開閉扉が閉じるときに遊技球が開閉扉と対向壁との間の左右両端以外どの位置にあっても、開閉扉が遊技球に対して押出力を作用させることができ、確実に遊技球を入賞球検知手段の方向に素早く移動できる。そのため、開閉扉が閉状態となったときに入賞空間領域に存在する遊技球が入賞球検知手段に検知されてアタッカー装置の外部へ排出されるまでの時間を短くすることができる。
【００１７】
また、本発明に係るアタッカー装置においては、前記開閉扉の裏面が、閉状態のとき前記対向壁側へ突出する突出部を備え、前記突出部と前記対向壁の前面とによって、前記幅狭部を形成する構成とすることが望ましい。
【００１８】
このような構成とすれば、開閉扉が開状態のときは、突出部が、開閉扉の裏面に受け止められた遊技球を入賞球検知手段の方向へ転動させる傾斜面となり、遊技球を入賞球検知手段へと誘導できる。また、開閉扉が閉じるときには、突出部は、開閉扉に押出力を加えられた遊技球を対向壁の前面とともに入賞球検知手段の方向へ案内する。したがって、遊技球を入賞球検知手段へ確実に移動でき、遊技球が入賞球検知手段に検知されてアタッカー装置の外部へ排出されるまでの時間を短くすることができる。
【発明を実施するための最良の形態】
【００１９】
以下、本発明の実施形態を図面に基づいて説明する。
【００２０】
図１は、実施形態に係るアタッカー装置を使用したパチンコ遊技機の遊技盤の正面図、図２は、実施形態に係るアタッカー装置の分解斜視図、図３は、同アタッカー装置の一連の動作を説明するための平面断面図、図４は、実施形態に係るアタッカー装置を使用したパチンコ遊技機の電気系統のブロック図、図５は、遊技制御基板が実行する大入賞口処理の一部のフローチャート、図６は、同大入賞口処理の残部のフローチャート、図７は、遊技制御基板が実行する大入賞口スイッチ処理のフローチャート、図８〜図１３は、実施形態に係るアタッカー装置の変形例を示す平面断面図、をそれぞれ示す。
【００２１】
図１において、パチンコ遊技機の遊技盤１は、遊技者がハンドル（図示せず）を操作することによって発射された遊技球が転動しながら落下してゆく遊技領域２を備える。
【００２２】
遊技領域２には、２つの普通入賞口４A、４B、２つのゲート５A、５B、２つの始動入賞口６A、６B、アウト口７、アタッカー装置４０の開閉扉５０などが配設される。
【００２３】
遊技領域２の中央部に画像表示装置３が配される。画像表示装置３は、液晶表示器などで構成され、表示画面３aに、公知のデモ表示、始動入賞口６A、６Bへの入賞に基づく図柄変動表示、リーチ演出、大当たり演出などが行われる。
【００２４】
その他、遊技盤１には、４つの保留ランプ８、普通図柄表示器９及び特別図柄表示器１０などが配設される。
【００２５】
アタッカー装置４０は、図２〜３に示すように、遊技盤１の図示しない取付孔に挿入、固定される前部材４２と、前部材４２に後方から挿入、固定される後部材４３を備える。前部材４２と後部材４３とはアタッカー装置４０の本体ハウジング４１を形成している。
【００２６】
前部材４２は、遊技盤１の遊技盤面１aに固定される薄肉の前壁部４４を有する。前壁部４４には、上下方向に短く、左右方向に長い開口部すなわち大入賞口４５が形成されている。
【００２７】
また、前壁部４４には、大入賞口４５を開閉する開閉扉５０が配設されている。開閉扉５０は、大入賞口４５の下端部を回転中心として前後方向へ揺動可能に設けられており、前方への回動によって開状態となって大入賞口４５を開放状態にし、遊技盤１の遊技盤面１a上の遊技球Bを受止め大入賞口４５への入球を可能にし、また、後方への回動によって閉状態となって大入賞口４５を閉口状態にし、遊技盤１の盤面１a上の遊技球Bが大入賞口４５に入球できないようにする。開閉扉５０は、ソレノイド（図４図示の大入賞口ソレノイド３０）、リンク機構などで構成される公知の駆動機構５２によって開閉駆動される。
【００２８】
開閉扉５０の裏面５０aは、閉状態のとき本体ハウジング４１内に配設された後述する対向壁６０側に突出する突出部５１を備える(図３のＣ参照)。突出部５１は、左右方向中央部を最も対向壁６０側へ突出させた頂部５１bとして、頂部５１bから左端５０bへ延びる左下がり傾斜面５１cと頂部５１bから右端５０cへ延びる右下がり傾斜面５１dとを有している。ここで、「左下がり」及び「右下がり」は、開閉扉５０の裏面５０a側を上向きとした場合を基準とする。
【００２９】
前壁部４４の前面４４aには、左右一対の壁部４６A、４６Bが設けられている。左側の壁部４６Aは、開閉扉５０の左端部と対峙する部位に、また、右側の壁部４６Bは、開閉扉５０の右端部と対峙する部位にそれぞれ配置されている。これらの壁部４６A、４６Bは、開状態の開閉扉５０の裏面５０a上に載った遊技球Bが開閉扉５０の左端部又は右端部から零れ落ちるのを防止する作用を発揮するものである。なお、左右一対の壁部４６A、４６Bは、上記のように前壁部４４に設ける代わりに、開閉扉５０の左端部及び右端部に設けるようにしてもよく、このように構成しても、遊技球Bの零れ落ちを防止することが可能である。
【００３０】
後部材４３は、図３に示すように、床面５３を備える。床面５３は、前床面５４と後床面５５とを有する。
【００３１】
前床面５４は、開状態の開閉扉５０の裏面５０aの後方に連続するよう形成されており、開閉扉５０の裏面５０a上から進入してきた遊技球Bを後床面５５側へと案内するよう下り傾斜面で構成されている。
【００３２】
後床面５５は、前床面５４の後方に形成されており、左右方向の左端には、遊技球Bを検知するとともに遊技球Bをアタッカー装置４０の外部に排出するための左入賞球検知排出口部５６Aが配設され、また、左右方向の右端には、遊技球Bを検知するとともに遊技球Bをアタッカー装置４０の外部に排出するための右入賞球検知排出口部５６Bが配設されている。左入賞球検知排出口部５６A及び右入賞球検知排出口部５６Bは、それぞれ磁気センサ（大入賞口スイッチ、入賞球検知手段）５７A、５７Bを備え、磁気センサ５７A、５７Bは、遊技球Bを磁気的に検知する。
【００３３】
後床面５５の後方には、遊技球Bがさらに本体ハウジング４１内の後方へと進入することを防止するための垂直壁部５８が設けられている。
【００３４】
床面５３には、閉状態の開閉扉５０と対向させて対向壁６０が配設される。対向壁６０は、左右方向中央部を開閉扉５０側へ突出させた平面視略「Ｖ」の字形状の前壁部６１と、前壁部６１の左右両端からそれぞれ後方へ垂直壁部５８まで延設される側壁部６２、６２とを備える。
【００３５】
前壁部６１の前面６１a（対向壁６０の前面６０a）は、左右方向の幅寸法を開閉扉５０の左右方向の幅寸法と略一致させて、左右方向中央部から左後方へ延びる左側傾斜面６１bと左右方向中央部から右後方へ延びる右側傾斜面６１cとを有している。
【００３６】
本体ハウジング４１内には、図３のＣに示すように、開閉扉５０が閉状態の時、本体ハウジング４１と、開閉扉５０と、垂直壁部５８と、対向壁６０とにより、入賞空間領域６６が形成されている。入賞空間領域６６は、大入賞口４５から本体ハウジング４１内へ進入した遊技球Bが磁気センサ（入賞球検知手段）５７A，５７Bへと移動する領域である。
【００３７】
入賞空間領域６６における開閉扉５０の裏面５０aと対向壁６０の前面６０aとの間の領域には、開閉扉５０の裏面５０aと対向壁６０の前面６０aとの離隔距離(前後方向の間隔)Lが遊技球の直径寸法D1より小さい幅狭部６４（図３のＣに斜線で示した部分）が形成される（図３のＣ参照）。幅狭部６４における開閉扉５０の裏面５０a（突出部５１）と対向壁６０の前面６０a（前壁部６１の前面６１a）との離隔距離Lは、磁気センサ（入賞球検知手段）５７A，５７B側の領域に向かうにつれて漸次大きくなるよう設定されている。換言すると、幅狭部６４の左側は、突出部５１の左下がり傾斜面５１cと前壁部６１の左側傾斜面６１bとが対向して形成され、幅狭部６４の右側は、突出部５１の右下がり傾斜面５１dと前壁部６１の右側傾斜面６１cとが対向して形成されている。そのため、幅狭部６４は、前壁部６１の左右方向中央部と突出部５１の頂部５１bとが対向する中央を最も幅狭とし、中央から磁気センサ（左入賞球検知手段）５７Ａへと向かって幅狭部６４の左側の領域を漸次拡開させ、中央から磁気センサ（右入賞球検知手段）５７Ｂへと向かって幅狭部６４の右側の領域を漸次拡開させている。
【００３８】
また、幅狭部６４は、開閉扉５０の裏面５０aにおいて左端５０b及び右端５０c（図３のＣ参照）を除いた部分と対向壁６０の前面６０aとの間の全域にわたって形成されている。
【００３９】
対向壁６０の側壁部６２、６２は、それぞれ、本体ハウジング４１の側壁までの離隔距離D2（図３のＣ参照）を磁気センサ（入賞球検知手段）５７A，５７Bの左右方向の幅寸法と略一致させて配設され、入賞空間領域６６の左右両端側に移動した遊技球Bを磁気センサ（入賞球検知手段）５７A，５７Bまで案内する。
【００４０】
次に、開閉扉５０の動作を図３に基づいて説明する。
【００４１】
開閉扉５０は、図３のＡに示すように、開状態にあるときは、大入賞口４５を開放状態にし、遊技球Bを裏面５０aで受止め大入賞口４５への入球を可能にする。このとき、突出部５１が左下がり傾斜面５１cと右下がり傾斜面５１dとを有していることから、開閉扉５０の裏面５０aに受け止められた遊技球Bは、左下がり傾斜面５１c又は右下がり傾斜面５１dを、磁気センサ（入賞球検知手段）５７A又は５７Bの方向へと誘導されつつ、本体ハウジング４１内へと転動していく。そして、大入賞口４５から本体ハウジング４１内に進入した遊技球Bは、対向壁６０の前壁部６１の左側傾斜面６１b又は右側傾斜面６１cに案内されながら、磁気センサ(左入賞球検知手段）５７A又は磁気センサ(右入賞球検知手段）５７Bに向かって前床面５４を転動し、左入賞球検知排出口部５６A又は右入賞球検知排出口部５６Bから外部に排出される。
【００４２】
左入賞球検知排出口部５６A及び右入賞球検知排出口部５６Bの磁気センサ（入賞球検知手段）５７A及び５７Bが所定個数の遊技球Bを検知したとき、開閉扉５０は開状態から閉状態へ変移する。このとき、幅狭部６４を構成する開閉扉５０の裏面５０aと対向壁６０の前面６０aとの間に遊技球Bが存在していると、図３のＢに示すように、開閉扉５０の裏面５０a（突出部５１）が、遊技球Bを対向壁６０の前面６０a（前壁部６１の前面６１a）に押し付けるようして、遊技球Bと当接して、遊技球Bに対し磁気センサ（入賞球検知手段）５７A又は５７B（図３のＢの場合、右側の磁気センサ５７B）へ向かう方向（図３のＢ図示矢印ａ方向）の押出力を加える。この押出力の方向は、前壁部６１の左側傾斜面６１bと突出部５１の左下がり傾斜面５１cとの間に形成される幅狭部６４の左側の領域が、左方へ向かって拡開していること、及び、前壁部６１の右側傾斜面６１cと突出部５１の右下がり傾斜面５１dとの間に形成される幅狭部６４の右側の領域が、右方へ向かって拡開していることに基づいて決定される。なお、本実施形態では、開閉扉５０と対向壁６０とが共に傾斜面（左下がり傾斜面５１cと右下がり傾斜面５１d、左側傾斜面６１bと右側傾斜面６１c、）を有し、これらの傾斜面が入賞空間領域６６を磁気センサ（入賞球検知手段）５７A，５７Bの方向へ向かうにつれて拡開させているから、押出力を受けた遊技球Bは磁気センサ（入賞球検知手段）５７A，５７Bの方向に誘導されやすい。
【００４３】
開閉扉５０によって押出力を受けた遊技球Bは、開閉扉５０の裏面５０aと対向壁６０の前面６０aとの間で上方に持ち上がりつつ、幅狭部６４が拡開していく方向へ向かって押し出される。そのため、遊技球Bは、図３のＣに示すように、磁気センサ（入賞球検知手段）５７A又は５７B（図３のＣの場合、右側の磁気センサ５７B）の方向に向かって入賞空間領域６６を素早く移動し、その後は、本体ハウジング４１の側壁と対向壁６０の側壁部６２とに案内されて前床面５４を転動して磁気センサ（入賞球検知手段）５７A又は５７Bによって検知されるようになる。
【００４４】
上記のように、開閉扉５０が閉じるとき、幅狭部６４を構成する開閉扉５０の裏面５０aと対向壁６０の前面６０aとの間に遊技球Bが存在する場合、開閉扉５０によって遊技球Bに対し磁気センサ（入賞球検知手段）５７A又は５７Bに向かう方向の押出力が加えられ、遊技球Bは素早く磁気センサ（入賞球検知手段）５７A又は５７Bに向かって移動するようになる。
【００４５】
次に、パチンコ遊技機の電気系統を図４に基づいて説明する。
【００４６】
図４において、電気系統は遊技制御基板２０を中枢部とし、遊技制御基板２０に演出制御基板２１、払出制御基板２２及び盤用外部情報端子基板２３が接続され、演出制御基板２１に画像制御基板２４及びランプ制御基板２５が接続され、払出制御基板２２に枠用外部情報端子基板２６が接続される。遊技制御基板２０、演出制御基板２１、払出制御基板２２、画像制御基板２４及びランプ制御基板２５は、それぞれ、CPU、ROM、RAM、I/Oなどを備える。
【００４７】
遊技制御基板２０に、遊技球Bが始動入賞口６A、６Bに入賞したことを検出する始動口スイッチ２７A、２７B、普通図柄表示器９の変動表示数字が所定の数字で表示停止したとき、始動入賞口６Bを開放駆動する始動口ソレノイド２８、始動口ソレノイド２８を動作させる契機として遊技球Bがゲート５A及び５Bをそれぞれ通過したことを検出するゲートスイッチ２９A及び２９B、大入賞口４５の開放時に遊技球Bが大入賞口４５に入賞したことを検出する大入賞口スイッチ（磁気センサ５７A、５７B）、大当たり時に大入賞口４５を所定ラウンド数だけ開放させる大入賞口ソレノイド３０、遊技球Bが普通入賞口４A及び４Bにそれぞれ入賞したことを検出する普通入賞口スイッチ３１A及び３１B、保留球数を表示する保留ランプ８、遊技球Bがゲート５A、５Bを通過することが契機となって数字が変動表示される普通図柄表示器９、画像表示装置３による演出と同期して特別図柄を変動表示する特別図柄表示器１０がそれぞれ接続される。普通図柄表示器９に所定の数字が変動停止したとき、始動口ソレノイド２８が動作して始動入賞口６Bが所定時間開放する。
【００４８】
払出制御基板２１に、賞球を払出す賞球払出装置の駆動源である払出電動モータ３２、賞球払出装置により払い出された遊技球Bを検出する払出球検出スイッチ３３、賞球払出装置に供給すべき遊技球Bが有ることを検出する球有り検出スイッチ３４、球発射装置に供給される遊技球Bを貯留する球貯留皿が、払い出された遊技球によって満杯になったことを検出する満タン検出スイッチ３５がそれぞれ接続される。
【００４９】
画像制御基板２４に、画像表示装置３などが接続される。
【００５０】
次に、遊技制御基板２０が実行する大入賞口処理及び大入賞口スイッチ処理を図５〜図７に基づいて順に説明する。
【００５１】
(1)大入賞口処理（図５、６）
図５及び図６において、遊技制御基板２０は、まず、大当たり中であるか否かを判定し（ステップS1）、大当たり中である場合、オープニング中であるか否かを判定する（ステップS2）。ここで、オープニング中とは、大当たり発生してから大当たりの第１ラウンドが開始されるまでの期間をいう。
【００５２】
大当たり発生直後では、オープニング中となるため、次に、オープニング時間つまり、大当たり発生時点から大当たりの第１ラウンドの開始時点までの時間が経過したか否かを判定する（ステップS3）。
【００５３】
オープニング時間経過前は、ステップS1、ステップS2及びステップS3を繰り返し実行する。
【００５４】
その後、オープニング時間が経過すると、ラウンド数Rを「１」だけ加算する（ステップS4）。オープニング時間経過直後においては、それまでのラウンド数Rが「０」であるため、ステップS4における加算後のラウンド数Rは「１」となる。次に、大入賞口５５への入賞個数Cを「０」にクリアした後（ステップS5）、大入賞口ソレノイド３０に指令信号を出力し、開閉扉５０を閉状態から開状態へ変移させて大入賞口４５を閉口状態から開放状態に変移させる（ステップS6）。
【００５５】
次に、予め設定した開放時間つまり、大入賞口４５が開放状態を持続することができる時間が経過したか否かを判定する（ステップS7）。
【００５６】
大入賞口４５が開放状態へ変移した直後においては、ステップS7の判定結果は「NO」となるため、次に、大入賞口４５への入賞個数Cが所定値「９」であるか否かを判定し（ステップS8）、この判定結果は「NO」であることから、ステップS1に戻り、次にステップS2を実行する。ステップS2の判定結果は、この時点では既にオープニング中ではなくなっているため「NO」となり、次に大入賞口４５が開放中であるか否かを判定し（ステップS9）、この判定結果が「YES」であることから、ステップS7に移行する。以後、ステップS7〜ステップS9、ステップS1、ステップS2を繰り返し実行する。
【００５７】
ステップS7〜ステップS9、ステップS1、ステップS2を繰り返し実行している間、大入賞口４５に遊技球Bが入賞するたびに、換言すると、大入賞口スイッチ５７A又は５７Bが遊技球Bを検知するたびに、入賞個数Cは、「１」、「２」、‥と増加してゆく。なお、この入賞個数Cのカウントは、後述する大入賞口スイッチ処理において説明する。そして、入賞個数Cが「９」になると、ステップS8の判定結果は「YES」となり、あるいは、入賞個数Cが「９」になる前に開放時間が経過すると、ステップS7の判定結果は「YES」となり、大入賞口ソレノイド３０への指令信号を出力停止し、開閉扉５１を開状態から閉状態へ変移させて大入賞口４５を閉口する（ステップS10）。
【００５８】
このとき、上述したように、幅狭部６４を構成する開閉扉５０の裏面５０aと対向壁６０の前面６０aとの間に遊技球Bが存在していると（図３のＢ参照）、遊技球Bに対し磁気センサ（入賞球検知手段）５７A又は５７Bへ向かう方向の押出力が加えられ、遊技球Bは磁気センサ（入賞球検知手段）５７A又は５７Bの方向に向かって入賞空間領域６６を素早く移動する。そのため、開閉扉５０が閉状態となったときに入賞空間領域６６に遊技球Bが存在しても、この遊技球Bが磁気センサ（入賞球検知手段）５７A又は５７Bに検知されてアタッカー装置４０の外部へと排出されるまでの時間が短縮され、後述するインターバル時間を短く設定することができる。
【００５９】
ステップS10を実行した後は、ラウンド数Rが「１５」であるか否かを判定する（ステップS11）。この時点では、ラウンド数Rは「１」であるため、ステップS11の判定結果は「NO」となり、ステップS1に戻る。
【００６０】
ステップS1に戻った後は、ステップS1、ステップS2を経た後ステップS9を実行し、この時点では大入賞口４５は開放中ではないためステップS9の判定結果は「NO」となり、次にエンディング中であるか否かを判定する（ステップS1２）。ここで、エンディング中とは、第１５ラウンドが終了した後に画像表示装置３において大当たり終了演出が行われているときをいう。
【００６１】
この時点では、第１ラウンドの終了直後であることからステップS12の判定結果は「NO」となり、次にインターバル時間が経過したか否かを判定する（ステップS13）。ここで、インターバル時間とは、大入賞口４５が閉口した時点から次のラウンドを開始させるべく大入賞口４５を開放する時点までの、予め設定した遅延時間をいう。この時点では大入賞口４５が閉口した直後であるため、ステップS13の判定結果は「NO」となり、ステップS1に戻る。
【００６２】
ステップS1に戻った後は、インターバル時間が経過する前においては、ステップS1、ステップS2、ステップS9、ステップS12及びステップS13を繰り返し実行する。
【００６３】
その後、インターバル時間が経過すると、ステップS13の判定結果は「YES」となり、次にラウンド数Rを「１」だけ加算し、ラウンド数Rを「２」にし（ステップS4）、入賞個数Cを「０」にクリアし（ステップS5）、大入賞口４５を開放し、第２ラウンドが開始される（ステップS6）。
【００６４】
第２ラウンドにおいても、上述した第１ラウンドにおける処理と同様な処理が行われ、入賞個数Cが「９」に達したとき、あるいは、入賞個数Cが「９」に達する前に開放時間が経過したとき、大入賞口４５を閉口する（ステップS10）。
【００６５】
ステップS10の実行後は、第１ラウンドが終了したときと同様な処理が行われ、インターバル時間の経過を待って第３ラウンドが開始される。
【００６６】
以後、第３ラウンド、第４ラウンド、‥第１４ラウンドが行われ、第１５ラウンドが終了すると、ステップS11の判定結果は「YES」となり、ラウンド数Rが「０」にクリアされ（ステップS14）、エンディングが開始される（ステップS15）。その後、エンディング時間が経過すると（ステップS16）、エンディングを終了し、大当たりを終了する（ステップS17）。
【００６７】
(2)大入賞口スイッチ処理（図７）
図７において、遊技制御基板２０は、大入賞口スイッチ５７A又は５７Bがオンすると（ステップS21）、大当たり中のときは入賞個数Cを「１」だけ加算し（ステップS22、ステップS23）、賞球１５個コマンドをセットし払出制御基板２２に送信する（ステップS24）。賞球１５個コマンドを受信した払出制御基板２２は、払出駆動モータ３２に指令信号を出力し、払出駆動モータ３２が駆動されて１５個分の賞球が払出される。
【００６８】
以上説明したように、本実施形態に係るアタッカー装置４０は、遊技盤面１aと略面一に配置される前面４４aを有し、前面４４aに左右方向に長くかつ上下方向に短い入賞口（大入賞口４５）が形成された本体ハウジング４１と、本体ハウジング４１に配設され、入賞口（大入賞口４５）を開放及び閉口する開閉扉５０と、本体ハウジング４１の床面５３上に配置され、遊技球Bの通過を検知する入賞球検知手段（磁気センサ５７A，５７B）であって、入賞口（大入賞口４５）の開放時、開状態の開閉扉５０の裏面５０a上に受止められ本体ハウジング４１の床面５３上に進入してきた遊技球Bの通過を検知する入賞球検知手段（磁気センサ５７A，５７B）と、入賞口（大入賞口４５）から本体ハウジング４１内へ進入した遊技球Bが入賞球検知手段（磁気センサ５７A，５７B）へと移動する入賞空間領域６６とを備えるアタッカー装置４０において、本体ハウジング４１内に、閉状態の開閉扉５０と対向する対向壁６０が配設され、開閉扉５０が閉状態の時、開閉扉５０の裏面５０aと対向壁６０の前面６０aとによって、遊技球Bの直径D1よりも小さな離隔距離Lを有する幅狭部６４が、入賞空間領域６６に形成され、開閉扉５０が閉じるとき、開閉扉５０は、幅狭部６４を構成する開閉扉５０の裏面５０aと対向壁６０の前面６０aとの間に位置する遊技球Bに対して、入賞球検知手段（磁気センサ５７A，５７B）に向かう方向の押出力を加える構成とされている。
【００６９】
よって、開閉扉５０が開状態から閉状態に変位するときには、幅狭部６４を構成する開閉扉５０と対向壁６０との間に位置する遊技球Bを、開閉扉５０の裏面５０aと対向壁６０の前面６０aとで挟むことになる。このとき、遊技球Bは開閉扉５０から受ける力によって入賞球検知手段（磁気センサ５７A，５７B）へと向かう方向に素早く移動する。したがって、開閉扉５０が閉状態になったときに入賞空間領域６６にまだ存在している遊技球Bが、入賞球検知手段（磁気センサ５７A，５７B）に検知されてアタッカー装置４０の外部へと排出されるまでの時間を短くすることができる。
【００７０】
したがって、本実施形態のアタッカー装置４０は、大当たり状態において一つのラウンドが終了してから次のラウンドを開始するまでの時間を短くすることができる。その結果、一回の大当たり状態に要する遊技時間を短縮できて、パチンコ遊技機の実質的な遊技時間や稼働時間を増加させることができる。
【００７１】
ここで、本実施形態のアタッカー装置４０では、幅狭部６４は、入賞球検知手段（磁気センサ５７A，５７B）側に向かうにつれて漸次拡開して形成されている。そのため、開閉扉５０が閉じるとき、開閉扉５０が遊技球Bに対して入賞球検知手段（磁気センサ５７A，５７B）に向かう方向の押出力を加えることができる。
【００７２】
さらに、本実施形態のアタッカー装置４０では、幅狭部６４を、開閉扉５０の裏面５０aにおいて左右両端（左端５０b及び右端５０c）を除いた部分と対向壁６０の前面６０aとの間の全域にわたって形成している。
【００７３】
したがって、開閉扉５０が閉じるときに遊技球Bが開閉扉５０と対向壁６０との間の左右両端以外どの位置にあっても、開閉扉５０が遊技球Bに対して押出力を作用させることができ、確実に遊技球を入賞球検知手段（磁気センサ５７A，５７B）の方向に素早く移動できる。そのため、開閉扉５０が閉状態となったときに入賞空間領域６６に存在する遊技球Bが入賞球検知手段（磁気センサ５７A，５７B）に検知されてアタッカー装置４０の外部へ排出されるまでの時間を短くすることができる。
【００７４】
ここで、幅狭部６４の入賞球検知手段（磁気センサ５７A，５７B）側と入賞球検知手段（磁気センサ５７A，５７B）の配置位置とを近くすることにより、開閉扉５０が閉状態となったときに入賞空間領域６６に存在する遊技球を発生させないことも可能となる。例えば、幅狭部６４の入賞球検知手段（磁気センサ５７A，５７B）側の終端に入賞球検知手段（磁気センサ５７A，５７B）を配設させれば、開閉扉５０が閉状態となったときには、入賞する可能性のある遊技球Bは全て入賞球検知手段（磁気センサ５７A，５７B）へ押し出されて検知されるため、開閉扉５０が閉状態となったときに入賞空間領域６６に存在する遊技球の数を略ゼロとすることができる。そして、このように構成したアタッカー装置を使用したパチンコ遊技機においては、開閉扉５０を閉状態とした直後でも次のラウンドを開始することができる。
【００７５】
また、本実施形態のアタッカー装置４０では、開閉扉５０の裏面５０aが、閉状態のとき対向壁６０側へ突出する突出部５１を備え、突出部５１と対向壁６０の前面６０aとによって、幅狭部６４が形成されている。
【００７６】
そのため、開閉扉５０が開状態のときは、突出部５１が、開閉扉５０の裏面５０aに受け止められた遊技球Bを入賞球検知手段（磁気センサ５７A，５７B）の方向へ転動させる傾斜面（左下がり傾斜面５１c及び右下がり傾斜面５１d）となり、遊技球Bを入賞球検知手段（磁気センサ５７A，５７B）へと誘導できる。また、開閉扉５０が閉じるときには、突出部５１は、開閉扉５０に押出力を加えられた遊技球Bを対向壁６０の前面６０aとともに入賞球検知手段（磁気センサ５７A，５７B）の方向へ案内する。したがって、遊技球Bを入賞球検知手段（磁気センサ５７A，５７B）へ確実に移動でき、遊技球Bが入賞球検知手段（磁気センサ５７A，５７B）に検知されてアタッカー装置４０の外部へ排出されるまでの時間を短くすることができる。
【００７７】
なお、本実施形態では磁気センサ（入賞球検知手段）５７A，５７Bを本体ハウジング４１内の左右両端側に２つ配設する構成としたが、磁気センサ（入賞球検知手段）は、１つだけ配設する構成であっても、３つ以上配設する構成であってもよい。例えば、図８に示すように、本体ハウジング４１内の左右方向中央に磁気センサ（入賞球検知手段）５７Cを１つ配設してもよい。この場合、幅狭部６４，６４が、開閉扉５０の裏面５０aと対向壁６０，６０の前面６０a，６０aとの離隔距離Lを左右方向両端部において最も小さくし、左右方向両端部から左右方向中央部に向かって漸次拡開するように、開閉扉５０の突出部５１，５１及び対向壁６０，６０が形成される。そして、開閉扉５０が閉じるときには、遊技球Bは開閉扉５０により磁気センサ（入賞球検知手段）５７Cへと向かう方向（図８の図示矢印ｂ方向）の押出力を与えられる。また、図９、図１０に示すように、本体ハウジング４１内の左右方向の右端側又は左端側のどちらか一方に磁気センサ（入賞球検知手段）５７Cを配設してもよい。この場合、幅狭部６４が、開閉扉５０の裏面５０aと対向壁６０の前面６０aとの離隔距離Lを、左右方向における磁気センサ（入賞球検知手段）５７Cが配設されていない側において最も小さくし、左右方向における磁気センサ（入賞球検知手段）５７Cが配設されている側に向かって漸次拡開していくように、開閉扉５０の突出部５１及び対向壁６０が形成される。そして、開閉扉５０が閉じるときには、遊技球Bは開閉扉５０により磁気センサ（入賞球検知手段）５７Cへと向かう方向（図９又は図１０の図示矢印ｃ又はｄ方向）の押出力を与えられる。
【００７８】
また、図１１に示すように、開閉扉５０の裏面５０aが突出部５１を備え、突出部５１と対向壁６０の前面６０aとによって幅狭部６４を形成するのであれば、対向壁６０の前面６０aを傾斜面（図３の符号６１b，６１c参照）に形成せず左右方向に対して平行な平面状に形成しても、遊技球Bに対して磁気センサ（入賞球検知手段）５７A，５７Bに向かう方向（図１１の図示矢印ｅ方向）の押出力を加える構成とすることができる。また、図１２に示すように、開閉扉５０に突出部を設けずに開閉扉５０の裏面５０aを平面状に形成しても、対向壁６０の前面６０aが、左側傾斜面６１bと右側傾斜面６１cとを有し、対向壁６０の前面６０aと開閉扉５０の裏面５０aとで幅狭部６４を形成すれば、遊技球Bに対して磁気センサ（入賞球検知手段）５７A，５７Bに向かう方向（図１２の図示矢印ｆ方向）の押出力を加える構成とすることができる。
【００７９】
さらに、図１３に示すように、開閉扉５０の裏面５０a側の入賞空間領域６６の全域が、磁気センサ（入賞球検知手段）５７A，５７B側の領域に向かうにつれて漸次拡開して形成されていなくても、開閉扉５０の裏面５０a側の入賞空間領域６６の一部（図１３では中央部）のみが、磁気センサ（入賞球検知手段）５７A，５７B側の領域に向かうにつれて漸次拡開して形成され幅狭部６４を構成していれば、遊技球Bに対して磁気センサ（入賞球検知手段）５７A，５７Bに向かう方向（図１３の図示矢印ｇ方向）の押出力を加える構成とすることができる。
【図面の簡単な説明】
【００８０】
【図１】実施形態に係るアタッカー装置を使用したパチンコ遊技機の遊技盤の正面図である。
【図２】実施形態に係るアタッカー装置の分解斜視図である。
【図３】同アタッカー装置の一連の動作を説明するための平面断面図である。
【図４】実施形態に係るアタッカー装置を使用したパチンコ遊技機の電気系統のブロック図である。
【図５】遊技制御基板が実行する大入賞口処理の一部のフローチャートである。
【図６】同大入賞口処理の残部のフローチャートである。
【図７】遊技制御基板が実行する大入賞口スイッチ処理のフローチャートである。
【図８】実施形態に係るアタッカー装置の変形例を示す平面断面図である。
【図９】実施形態に係るアタッカー装置の他の変形例を示す平面断面図である。
【図１０】実施形態に係るアタッカー装置のさらに他の変形例を示す平面断面図である。
【図１１】実施形態に係るアタッカー装置のさらに他の変形例を示す平面断面図である。
【図１２】実施形態に係るアタッカー装置のさらに他の変形例を示す平面断面図である。
【図１３】実施形態に係るアタッカー装置のさらに他の変形例を示す平面断面図である。
【図１４】従来のアタッカー装置における開閉扉の開閉変移を表したタイミングチャートである。
【符号の説明】
【００８１】
４１    本体ハウジング
４０    アタッカー装置
４５    大入賞口（入賞口）
５０    開閉扉
５０ａ  裏面
５１    突出部
５７A，５７B，５７C    磁気センサ(入賞球検知手段)
６０    対向壁
６０ａ  前面
６４    幅狭部
６６    入賞空間領域
Ｌ      離隔距離
【図１】
2009226073.tif 000003
【図２】
2009226073.tif 000004
【図３】
2009226073.tif 000005
【図４】
2009226073.tif 000006
【図５】
2009226073.tif 000007
【図６】
2009226073.tif 000008
【図７】
2009226073.tif 000009
【図８】
2009226073.tif 000010
【図９】
2009226073.tif 000011
【図１０】
2009226073.tif 000012
【図１１】
2009226073.tif 000013
【図１２】
2009226073.tif 000014
【図１３】
2009226073.tif 000015
【図１４】
2009226073.tif 000016